(57)【特許請求の範囲】
【請求項１】
ブレスレットに装着されるケースからなる携帯時計であって、前記ケースは着脱自在な連結によって前記ブレスレットに取り付けられ、該着脱自在な連結は２つの要素、すなわち、前記ブレスレットに取り付けられる第１の要素と、前記ケースに固定される第２の要素とが協働することによって成立し、前記２つの要素のうちの一方は掛止要素であり、他方の要素は弾性システムによって付勢されて前記掛止要素に固定される可動掛金を有する鎖錠要素であり、前記掛止要素は前記鎖錠要素に設けられたガイドレールと協働するようにされたスライダからなり、前記可動掛金は前記スライダに設けられる凹型と係合するようにされた鎖錠突起を備え、前記可動掛金は前記鎖錠要素内で軸の周りを枢動可能に組み立てられ、前記掛金は、前記鎖錠突起を含む第１の側と、鎖錠解除手段によって付勢されるようにされた第２の側とからなる第１種てこであることを特徴とする携帯時計。
【請求項２】
前記スライダと前記ガイドレールとの協働は鳩尾形であることを特徴とする、請求項１に記載の携帯時計。
【請求項３】
前記掛止要素の前記スライダは実質的に長方形状の第１の部分を備え、該第１の部分は前記鎖錠要素の前記ガイドレールと協働し、前記スライダは、前記鎖錠要素に設けられる対応する円錐形状の空間と協働するようにされた円錐形状の第２の部分を備えることを特徴とする、請求項２に記載の携帯時計。
【請求項４】
前記鎖錠要素は、前記ガイドレールと安定化及び挿入のためのその円錐形状の部分とを形成する内部区画と、前記可動掛金が収められる側方空間とを備え、前記掛金の中心部は円形区画内で案内されて軸の周りの枢動を果たすことを特徴とする、請求項１乃至３のいずれか一項に記載の携帯時計。
【請求項５】
一方の端部が前記鎖錠要素内でブロックされ、他方の端部が、前記掛金の前記第２の側に押し付けられるようにされた鎖錠解除のための作動突起を備える弾性アーチ形部分によって構成される鎖錠解除手段が設けられることを特徴とする、請求項１乃至４のいずれか一項に記載の携帯時計。
【請求項６】
前記アーチ形部分は、弾性変形可能な材料で作られた円形状部位からなることを特徴とする、請求項５に記載の携帯時計。
【請求項７】
ユーザが容易に操作できるように、前記鎖錠要素は前記鎖錠要素の外に突出する押しボタンを備え、鎖錠を解除して前記ケースを解放するためにユーザが押すだけで可動式掛金の枢動がもたらされ、前記押しボタンは、前記鎖錠解除の操作突起が位置する前記アーチ形部分の端部に押し付けられるように配置されることを特徴とする、請求項６に記載の携帯時計。
【請求項８】
前記鎖錠要素は前記ケースに固定され、前記掛止要素は前記ブレスレットに固定されることを特徴とする、請求項１乃至７のいずれか一項に記載の携帯時計。
【請求項９】
前記鎖錠要素は前記ブレスレットに固定され、前記掛止要素は前記ケースに固定されることを特徴とする、請求項１乃至７のいずれか一項に記載の携帯時計。
【請求項１０】
前記ブレスレットは、両端が留金によって協働する単一の部位からなる柔軟なバンドであることを特徴とする、請求項１乃至９のいずれか一項に記載の携帯時計。
【発明の詳細な説明】
【技術分野】
【０００１】
本発明は携帯時計及びそのブレスレットのための改良に関する。より詳細には、本発明はブレスレットに対するケースの取付けに関する。
【背景技術】
【０００２】
携帯時計は、時刻表示用であれ、標高、気温及びその他のようなそれ以外の情報を表示するためのものであれ、文字盤を有するケースからなる。携帯時計のケースは、かつては衣服につないだ短いチェーンで装着するようになっていたが、その後、携帯時計のケースは、留金を備えることが一般的なブレスレットによってユーザの手首に装着するようになってすでに久しい。
【０００３】
製造者はかなり前から１つだけの解決法に甘んじてきた。すなわち、大半の場合、携帯時計のケースは、バネ棒と呼ばれる横断方向の軸棒によってブレスレットの２つの部位の端部に取り付けられる。顧客の方では目新しさ、とりわけモジュール性や個性化を渇望しているにもかかわらず、この原理に関して変化はなかった。
【発明の概要】
【発明が解決しようとする課題】
【０００４】
本発明は、ブレスレットを手首に巻いたまま、道具を使うことなく、ユーザが携帯時計のケースをブレスレットから外すことができる全く新しい装置を提案する。
【課題を解決するための手段】
【０００５】
そのため、携帯時計はブレスレットに装着されるケースからなり、本発明によれば、ケースは着脱自在な連結によってブレスレットに取り付けられ、該着脱自在な連結は２つの要素、すなわち、ブレスレットに取り付けられる第１の要素と、ケースに固定される第２の要素とが協働することによって成立し、２つの要素のうちの一方は掛止要素であり、他方の要素は弾性システムによって付勢されて掛止要素に固定される可動掛金を有する鎖錠要素であり、掛止要素は鎖錠要素に設けられるガイドレールと協働するようにされたスライダからなり、可動掛金はスライダに設けられる凹型と係合するようにされた鎖錠突起を備え、可動掛金は鎖錠要素内で軸の周りを枢動可能に組み立てられ、前記掛金は鎖錠突起を含む第１の側と、鎖錠解除手段によって付勢されるようにされた第２の側とからなる第１種てこである。
【０００６】
好ましい実施形態によれば、スライダとガイドレールとの協働は鳩尾形であり、掛止要素のスライダは実質的に長方形状の第１の部分を備え、該第１の部分は鎖錠要素のガイドレールと協働し、前記スライダは、鎖錠要素に設けられる対応する円錐形状の空間と協働するようにされた円錐形状の第２の部分を備えることも付け加えておく。
【０００７】
鎖錠要素は、ガイドレールと安定化及び挿入のためのその円錐形状の部分とを形成する内部区画と、可動掛金が収められる側方空間とを備えることを記しておく。さらに、掛金の中心部は円形区画内で案内されて軸の周りの枢動を果たすことも留意されたい。
【０００８】
鎖錠解除手段は、一方の端部が鎖錠要素内でブロックされ、他方の端部が、掛金の第２の側に押し付けられるようにされた鎖錠解除のための作動突起を備える弾性アーチ形部分によって構成される。
【０００９】
アーチ形部分は、弾性変形可能な材料で作られた円形部位からなることも付け加えておく。
【００１０】
携帯時計は、ユーザが容易に操作できるように鎖錠要素がその鎖錠要素の外に突出する押しボタンを備えるようになっており、鎖錠を解除してケースを解放するためにユーザが押すだけで可動式掛金の枢動がもたらされ、前記押しボタンは、鎖錠解除の操作突起が位置するアーチ形部分の端部に押し付けられるように配置される。
【００１１】
一実施形態によれば、鎖錠要素はケースに固定され、掛止要素はブレスレットに固定される。
【００１２】
一実施形態によれば、鎖錠要素はブレスレットに固定され、掛止要素はケースに固定される。
【００１３】
ブレスレットは、両端が留金によって協働する単一の部位からなる柔軟なバンドであることを付け加えておく。
【００１４】
本発明のその他の特徴及び利点は、限定的でない例としてのみ掲げる添付の図面を参照しながら行う以下の説明を通して明らかとなろう。
【図面の簡単な説明】
【００１５】
【図１】携帯時計と、携帯時計のケースを装着していないブレスレットとを表した図である。
【図２】携帯時計と、携帯時計のケースを装着したブレスレットとを表した図である。
【図３】ブレスレットから外した携帯時計ケースの上面図である。
【図４】ケースを取り付けられるようにした要素を装備したブレスレットを表した図である。
【図５】ケースをブレスレットに取り付けた携帯時計の図である。
【図６】ブレスレットに対するケースの鎖錠解除位置を表した図である。
【図７】ブレスレットに対するケースの鎖錠位置を示した図である。
【図８】鎖錠解除の過程を示した図である。
【図９】図７のＢ−Ｂ断面図である。
【図１０】装置の様々な要素がわかるようにした分解斜視図である。
【発明を実施するための形態】
【００１６】
本発明の携帯時計（１）は、ブレスレット（３）に装着されるケース（２）を既知のとおりに備える。ブレスレットは、ユーザの手首に巻くようにされたバンドからなる。ブレスレットは、革製、金属製、ゴム製又はその他繊維製品のベルトなど、あらゆる種類のものであることができる。
【００１７】
本発明によれば、ブレスレット（３）に着脱可能に取り付けられるのはケース（２）の裏蓋（４）である。そのため、ケースの取付け手段は着脱自在な連結によって実現される。
【００１８】
取付け手段は、２つの要素（５、６）、すなわちブレスレット（３）に取り付けられる第１の要素（５）と、ケースに、特にケースの裏蓋（４）に取り付けられる第２の要素（６）との協働によって構成される。当然のことながら、要素はケースそのものであってもよい。
【００１９】
掛止要素と呼ぶ一方の要素は、鎖錠要素と呼ぶ他方の要素が着脱自在に取り付けられるものであることは留意されたい。
【００２０】
鎖錠要素は、掛止要素に設けられる凹型（９）に係合するようにされた突起（８）を有する少なくとも１つの可動掛金（７）を備える。
【００２１】
可動掛金（７）の前記突起（８）は、バネなどの弾性システム（１０）によって鎖錠位置に付勢される。可動掛金（７）は、２つの位置、すなわち、鎖錠突起（８）がもう一方の掛止要素の凹型（９）に係合する鎖錠位置（図７）と、突起の係合解除が起きて２つの要素の分離を可能にする鎖錠解除位置（図６）とを取るように鎖錠要素内に可動式に組み立てられる。
【００２２】
２つの要素の間の協働はガイドレールシステムによって行われる。そのため、掛止要素はスライダ（１１）を備え、もう一方の鎖錠要素は、スライダがその中に挿入されるガイドレール（１２）を備える。
【００２３】
可動掛金（７）は鎖錠要素内の軸（１５）の周りに枢動可能に組み立てられ、前記掛金は、鎖錠突起を有する第１の側（７ａ）と、鎖錠解除手段によって付勢されるようされた第２の側（７ｂ）とからなる第１種てこである。
【００２４】
手段は、鎖錠位置（図７）から鎖錠解除位置（図６）へと移行するようにされる。これらの手段は、一端（１４ａ）が鎖錠要素内にブロックされており、他端（１４ｂ）が掛金（７）の第２の側（７ｂ）に押し付けられるようにした鎖錠解除操作突起（１４ｃ）を備える弾性アーチ形部分（１４）からなる。アーチ形部分は、たとえば金属製であるか又はプラスチック素材、さらには複合材料で作られたもの等、任意の適切な材料製である弾性変形可能な材料で作られた円形部位からなる。
【００２５】
装置は、有利には、ユーザによる容易な操作が可能となるようにその鎖錠要素の外に突出する押しボタン（１６）を備えており、鎖錠を解除してケースを解放するためにユーザが押すだけで可動式掛金の枢動がもたらされることに留意されたい。そのため、押しボタン（１６）は、鎖錠解除操作突起（１４ｃ）が位置するアーチ形部分の端部（１４ｂ）に押し付けられるように配置される。
【００２６】
ガイドレールシステムは、図９でより詳細に見ることができるように鳩尾形である。そのため、ガイドレールは、いったん鎖錠されると、回転、平行移動及び上方向に関してそれぞれ保持を果たす。
【００２７】
また、掛止要素のスライダ（１１）は実質的に長方形状の第１の部分（１１ａ）を備え、その第１の部分（１１ａ）は鎖錠要素のガイドレール（１２）と協働し、前記スライダは、鎖錠要素に設けられる対応する円錐形状の空間（１２ｂ）と協働するようにされた円錐形状の第２の部分（１１ｂ）を備える。スライダの円錐形の部分と円錐形状の空間（１２ｂ）との協働は、２つの要素の間の協働の安定性を確保するものであるとともに、スライダの係合を容易にするものであることを明記しておく。
【００２８】
鎖錠要素は、ガイドレールと安定化及び挿入のためのその円錐形状の部分とを形成する内部区画と、可動掛金が収められる側方空間（１７）とを備えることを明記しておく。掛金の中心部は円形区画内で案内されて軸（１５）の周りの枢動を果たすことも留意されたい。
【００２９】
図示した好ましい実施形態によれば、鎖錠要素はケース（２）に固定され、掛止要素は、図３、図４及び図５に示すようにブレスレット（３）に固定される。
【００３０】
図示していない別の実施形態によれば、鎖錠要素はブレスレット（３）に固定され、掛止要素はケース（２）に固定される。
【００３１】
ケース（２）をブレスレット（３）に取り付けるに当たってユーザはスライダ（１１）をガイドレール（１２）に係合させるが、スライダ（１１）は挿入の最後で前記突起（８）がスライダの凹型（９）の中に入り込み得るところまで弾性システム（１０）の作用に抗して掛止突起（８）を押し戻し、それによってブレスレット（３）に対するケース（２）の鎖錠を果たす。
【００３２】
ブレスレット（３）は、あらゆるタイプのものであってよい留金（１８）によって互いに協働し、さらに手首の周りに閉じたループを形成する両端を有する単一の部位からなる柔軟なバンドであることを付け加えておく。
【００３３】
ブレスレットに取り付ける要素は、掛止要素であろうと、鎖錠要素であろうと、ブレスレットのバンドに取り付けられるものであることが理解された。バンドへの要素の取付けは、たとえば図１０により詳細に示すように、前記ベルトを間に挟み込む２つのプレート（１９ａ、１９ｂ）などによって行われる。
【図１】
0006527537.tif 000002
【図２】
0006527537.tif 000003
【図３】
0006527537.tif 000004
【図４】
0006527537.tif 000005
【図５】
0006527537.tif 000006
【図６】
0006527537.tif 000007
【図７】
0006527537.tif 000008
【図８】
0006527537.tif 000009
【図９】
0006527537.tif 000010
【図１０】
0006527537.tif 000011